(57)【要約】      （修正有）【課題】塗布面に過不足のない適量のサビ止め油を行き渡らせて塗布することができるサビ止め油塗布具を提供する。【解決手段】ペン軸状をなして内部にサビ止め油を溜めた油収納部１と、ペン先状をなして油収納部１のサビ止め油が浸透する素材からなり、塗布対象面に接触する塗布材５と、油収納部１の一端開口に装着し、塗布材５を着脱可能に保持する塗布材保持部４と、塗布材５を覆って塗布材保持部４に被せるキャップ６を備えた。【選択図】図１
0003219128.tif 000002
【実用新案登録請求の範囲】
【請求項１】
ペン軸状をなして内部にサビ止め油を溜めた油収納部と、ペン先状をなして油収納部のサビ止め油が浸透する素材からなり、塗布対象面に接触する塗布材と、油収納部の一端開口に装着し、塗布材を着脱可能に保持する塗布材保持部と、塗布材を覆って塗布材保持部に被せるキャップを備えたことを特徴とするサビ止め油塗布具。
【請求項２】
塗布材保持部は、油収納部の軸心方向に出退し、油収納部の一端開口を開閉する栓体と、栓体を閉方向に押圧する弾性体を有し、塗布材が栓体と一体的に出退することを特徴とする請求項１に記載のサビ止め油塗布具。
【考案の詳細な説明】
【技術分野】
【０００１】
本考案は、サビ止め油塗布具に関し、サビ止め油を刃物等の対象物の塗布面に塗る技術に係るものである。
【背景技術】
【０００２】
従来、液体を塗布する塗布具としては、例えば特許文献１に記載するものがある。これは、軸体の一端に設けた塗布液含浸部と、軸体と塗布液含浸部とを被覆したフィルムとを備えている。フィルムは、軸体を被覆した部位と、この軸体被覆部位から切り離し可能に、かつ一体に形成された塗布液含浸部を被覆した部位とからなり、フィルムの軸体被覆部位は、軸体をフィルムで被覆したまま把持できるように狭幅で形成されている。
【０００３】
この塗布具では、フィルムの軸体被覆部位から塗布液含浸部を被覆した部位を切り離して塗布液含浸部を露出させて塗布を行う。
【０００４】
また、特許文献２では、被塗布面の幅よりも小さくかつ所望幅の範囲に合わせた二股状塗布片に沿って液状流体を導くことにより、液状流体の表面張力によって張架状態の張架膜を形成し、該張架膜を被塗布面の所望の範囲に付着塗布している。
【先行技術文献】
【特許文献】
【０００５】
【特許文献１】特開２００４−６５９５０
【特許文献２】特開平３−２９６４６２
【考案の概要】
【考案が解決しようとする課題】
【０００６】
ところで、ハサミや刃物等の塗布面にサビ止め油を塗布する場合には、スポイトにサビ止め油を含んで塗布面に少量ずつ滴下する、あるいはサビ止め油を含浸させた綿棒等の塗布材を塗布面に押し当てることでサビ止め油を塗布面に付着させていた。
【０００７】
しかしながら、スポイト等で塗布する場合には、サビ止め油を塗布面上で広がらせることが困難で、塗布面の全体にサビ止め油を行き渡らせようとすると、塗布面に落とすサビ止め油の滴下量が過剰となり、仕上げ時に塗布面上の過剰なサビ止め油を布等で拭き取る必要があった。
【０００８】
また、綿棒等の塗布材にサビ止め油を含浸させて塗布する場合には、塗布材を持つ手にサビ止め油が付着する問題があった。
【０００９】
本考案は上記した課題を解決するものであり、塗布面に過不足のない適量のサビ止め油を行き渡らせて塗布することができるサビ止め油塗布具を提供することを目的とする。
【課題を解決するための手段】
【００１０】
上記課題を解決するために、本考案のサビ止め油塗布具は、ペン軸状をなして内部にサビ止め油を溜めた油収納部と、ペン先状をなして油収納部のサビ止め油が浸透する素材からなり、塗布対象面に接触する塗布材と、油収納部の一端開口に装着し、塗布材を着脱可能に保持する塗布材保持部と、塗布材を覆って塗布材保持部に被せるキャップを備えたことを特徴とする。
【００１１】
また、本考案のサビ止め油塗布具において、塗布材保持部は、油収納部の軸心方向に出退し、油収納部の一端開口を開閉する栓体と、栓体を閉方向に押圧する弾性体を有し、塗布材が栓体と一体的に出退することを特徴とする。
【考案の効果】
【００１２】
以上のように本考案によれば、サビ止め油塗布具を使用する際には、油収納部を握って塗布材を塗布対象面に押圧することで塗布作業を行うので、作業者の手にサビ止め油が付着することがない。
【００１３】
また、塗布材を塗布対象面上で摺動させることで、サビ止め油を十分にのび広がらせて塗布するので、過剰なサビ止め油を滴下することなく、容易に適正量のサビ止め油を塗布対象面に塗布することができる。
【００１４】
塗布材は塗布材保持部で着脱自在に保持されるので、サビ止め油の浸透性が劣化した場合等において新品と交換することで、塗布性能を維持することができる。
【００１５】
また、塗布保持部が栓体を有し、栓体が塗布材と共に出退する度に適正量のサビ止め油を吐出することで、過剰なサビ止め油の流出を防止し、塗布材に常に適正量のサビ止め油を含浸させることができる。
【図面の簡単な説明】
【００１６】
【図１】本考案の実施の形態におけるサビ止め油塗布具の全体斜視図
【図２】同実施の形態におけるサビ止め油塗布具の分解斜視図
【図３】同実施の形態における塗布作業を示す斜視図
【考案を実施するための形態】
【００１７】
以下、本考案の実施の形態を図面に基づいて説明する。図１〜図３において、本考案のサビ止め油塗布具は、油収納部１が一端に開口（図示省略）を有するペン軸状の筒状体２をなし、油収納部１の内部にサビ止め油を溜める油貯溜部（図示省略）を有する。
【００１８】
サビ止め油は、精製した油、ここでは食品添加物流動パラフィンに、特殊防錆剤、酸化防止剤等を配合したもので、サビの原因となる水分および空気中の酸素を遮り、金属表面のサビを抑える。
【００１９】
油収納部１には一端の開口（図示省略）を覆って塗布材保持部４が装着してあり、塗布材保持部４が塗布材５を着脱可能に保持している。キャップ６は、塗布材５を覆って塗布材保持部４に被せて装着してある。
【００２０】
塗布材５は、ペン先状をなして油収納部１のサビ止め油が浸透する合成樹脂材等の素材からなり、塗布対象面に接触する。塗布材５は全体として直方体状をなし、先端側が面取りした複数の平坦面からなる多面体５ａをなしている。
【００２１】
塗布材５の各平坦面が塗布用面５ｂをなす。塗布材５は後端側に先端側に比べて細い軸体５ｃを有し、後端に軸体５ｃより太い抜け止め部５ｄを有している。抜け止め部５ｄは先細り状をなす。
【００２２】
塗布材保持部４は、後端側が空洞状の円筒体４ａをなして塗布材保持部４の一端に嵌合しており、先端側が断面矩形状の空洞状の筒体４ｂをなし、塗布材５に嵌合している。筒体４ｂは底部の孔４ｃで円筒体４ａの内部に連通している。
【００２３】
筒体４ｂと円筒体４ａの境にある突起部４ｄが塗布材５の抜け止め部５ｄと塗布材５の軸心方向で係合して塗布材５を抜け止めする。塗布材５を軸心方向に強く引っ張ると、抜け止め部５ｄが弾性変形して突起部４ｄから抜け出す。
【００２４】
塗布材保持部４は、内部に栓体７を有しており、栓体７は油収納部１の軸心方向に出退して油収納部１の一端の開口を開閉する。塗布材保持部４の内部には栓体７を閉方向に押圧する弾性体（図示省略）を配置しており、塗布材５が栓体７と一体的に出退する。
【００２５】
上記の構成のように、本考案のサビ止め油塗布具は、フェルトペン式の液漏れし難い構造を実現している。サビ止め油塗布具を使用する際には、キャップ６を開け、塗布材５を下方に向けて油収納部１を握り、塗布材５を鋏８などの塗布対象面８ａに押圧してサビ止め油を塗布する。
【００２６】
この際に、塗布材５を栓体７と一体的に繰り返し出退させることで、栓体７の後退時に油貯溜部（図示省略）に貯溜したサビ止め油が吐出される。吐出されたサビ止め油は塗布材５の軸体５ｃを通って先端側の多面体５ａにまで含浸する。そして、多面体５ａの塗布用面５ｂを介して鋏８、刃物、金物等の塗布対象面８ａにサビ止め油を塗布する。本考案のサビ止め油は、食品添加物流動パラフィンを使用しているので、調理用の刃物全般に使用できる。
【００２７】
このように、油収納部１を握って塗布作業を行うので、作業者の手にサビ止め油が付着することがない。また、塗布材５を塗布対象面８ａの上で摺動させることで、サビ止め油を十分にのび広がらせて塗布するので、過剰なサビ止め油を滴下することなく、容易に適正量のサビ止め油を塗布対象面８ａに塗布することができる。
【００２８】
また、塗布保持部４が栓体７を有し、栓体７が塗布材５と共に出退する度に適正量のサビ止め油を少量ずつ吐出することで、過剰なサビ止め油の流出を防止し、塗布材５に常に適正量のサビ止め油を含浸させることができる。
【００２９】
塗布材５は塗布材保持部４で着脱自在に保持されるので、サビ止め油の浸透性が劣化した場合等において新品と交換することで、塗布性能を維持することができる。
【符号の説明】
【００３０】
１    油収納部
４    塗布材保持部
５    塗布材
６    キャップ
７    栓体
【図１】
0003219128.tif 000003
【図２】
0003219128.tif 000004
【図３】
0003219128.tif 000005